【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
操作端末であって、
電子機器から取得した情報により特定される該電子機器に対して、電子データの入力を実行させる第１の要求を送信する送信手段と、
前記第１の要求に応じて前記電子機器から送信される電子データを受信する受信手段と、
情報蓄積装置から、前記情報蓄積装置の有する１以上の格納領域の情報を取得する取得手段と、
取得された前記１以上の格納領域の情報に基づいて、１以上の格納領域を表示する表示手段と、
表示された前記１以上の格納領域のうち一の格納領域の選択を受け付ける受付手段と、
受信した前記電子データを前記情報蓄積装置に送信して、前記情報蓄積装置の前記一の格納領域に格納するよう前記情報蓄積装置に送信するデータ送信手段と、
を有する操作端末。
【請求項２】
請求項１に記載の操作端末であって、
前記電子データの入力は、スキャン処理であって、
前記送信手段は、電子機器から取得した前記情報により特定される該電子機器に対して、スキャン処理を実行させる前記第１の要求を送信し、
前記受信手段は、前記第１の要求に応じて前記電子機器がスキャンして生成したスキャンデータを受信し、
前記データ送信手段は、受信した前記スキャンデータを前記情報蓄積装置に送信して、前記情報蓄積装置の前記一の格納領域に格納する
ことを特徴とする操作端末。
【請求項３】
請求項１または２に記載の操作端末であって、
カメラと、
前記カメラで撮影された画像に含まれる、前記電子機器の情報を含む画像から情報を取得する情報取得手段と、
を有し、
前記送信手段は、取得した前記情報により特定される該電子機器に対して、電子データの入力を実行させる第１の要求を送信する
ことを特徴とする操作端末。
【請求項４】
請求項１乃至３のいずれか一項に記載の操作端末であって、
前記取得手段は、前記情報蓄積装置から、前記情報蓄積装置の有する１以上のフォルダの情報を取得し、
前記表示手段は、取得された前記１以上のフォルダの情報に基づいて、１以上のフォルダを表示し、
前記受付手段は、表示された前記１以上のフォルダのうち一のフォルダの選択を受け付け、
前記データ送信手段は、受信した前記電子データを前記情報蓄積装置に送信して、前記情報蓄積装置の前記一のフォルダに格納する
ことを特徴とする操作端末。
【請求項５】
請求項１乃至４のいずれか一項に記載の操作端末であって、
前記取得手段は、前記情報蓄積装置から、前記情報蓄積装置の有する１以上の電子データの情報を取得し、
前記表示手段は、取得された前記１以上の電子データの情報に基づいて、１以上の電子データを表示し、
前記受付手段は、表示された前記１以上の電子データのうち一の電子データの選択を受け付け、
前記表示手段は、選択された前記一の電子データの画像を表示する
ことを特徴とする操作端末。
【請求項６】
請求項５に記載の操作端末であって、
当該操作端末が取得した情報に基づいて特定される電子機器に対して、表示された前記一の電子データの出力を要求する出力要求手段
を有することを特徴とする操作端末。
【請求項７】
請求項５に記載の操作端末であって、
表示された前記一の電子データの出力を当該操作端末が取得した情報に基づいて特定される電子機器に出力させる第２の要求を、前記情報蓄積装置に送信する出力要求手段を有することを特徴とする操作端末。
【請求項８】
請求項６に記載の操作端末であって、
前記取得手段は、前記電子機器が出力可能な形式の前記一の電子データを前記情報蓄積装置から取得し、
前記出力要求手段は、取得した前記一の電子データの出力を前記電子機器に要求する
ことを特徴とする操作端末。
【請求項９】
請求項５乃至８のいずれか一項に記載の操作端末であって、
前記受付手段は、前記一の電子データの画像を出力するための出力設定の入力を受け付ける
ことを特徴とする操作端末。
【請求項１０】
請求項９に記載の操作端末であって、
前記出力設定は、電子機器から前記一の電子データを出力する宛先を含む
ことを特徴とする操作端末。
【請求項１１】
操作端末が実行する方法であって、
電子機器から取得した情報により特定される該電子機器に対して、電子データの入力を実行させる第１の要求を送信する送信ステップと、
前記第１の要求に応じて前記電子機器から送信される電子データを受信する受信ステップと、
情報蓄積装置から、前記情報蓄積装置の有する１以上の格納領域の情報を取得する取得ステップと、
取得された前記１以上の格納領域の情報に基づいて、１以上の格納領域を表示する表示ステップと、
表示された前記１以上の格納領域のうち一の格納領域の選択を受け付ける受付ステップと、
受信した前記電子データを前記情報蓄積装置に送信して、前記情報蓄積装置の前記一の格納領域に格納するよう前記情報蓄積装置に送信するデータ送信ステップと、
を実行する方法。
【請求項１２】
操作端末を、
電子機器から取得した情報により特定される該電子機器に対して、電子データの入力を実行させる第１の要求を送信する送信手段、
前記第１の要求に応じて前記電子機器から送信される電子データを受信する受信手段、
情報蓄積装置から、前記情報蓄積装置の有する１以上の格納領域の情報を取得する取得手段、
取得された前記１以上の格納領域の情報に基づいて、１以上の格納領域を表示する表示手段、
表示された前記１以上の格納領域のうち一の格納領域の選択を受け付ける受付手段、
受信した前記電子データを前記情報蓄積装置に送信して、前記情報蓄積装置の前記一の格納領域に格納するよう前記情報蓄積装置に送信するデータ送信手段、
として機能させるためのプログラム。
【手続補正２】
【補正対象書類名】明細書
【補正対象項目名】発明の名称
【補正方法】変更
【補正の内容】
【発明の名称】操作端末、方法及びプログラム
【手続補正３】
【補正対象書類名】明細書
【補正対象項目名】０００１
【補正方法】変更
【補正の内容】
【０００１】
本発明は、操作端末、方法及びプログラムに関する。
【手続補正４】
【補正対象書類名】明細書
【補正対象項目名】０００５
【補正方法】変更
【補正の内容】
【０００５】
本発明の一実施形態は、上記の点に鑑みなされたもので、連携してサービスを提供することができる操作端末、方法及びプログラムを提供することを目的とする。
【手続補正５】
【補正対象書類名】明細書
【補正対象項目名】０００６
【補正方法】変更
【補正の内容】
【０００６】
上記目的を達成するため、本願請求項１は、操作端末であって、電子機器から取得した情報により特定される該電子機器に対して、電子データの入力を実行させる第１の要求を送信する送信手段と、前記第１の要求に応じて前記電子機器から送信される電子データを受信する受信手段と、情報蓄積装置から、前記情報蓄積装置の有する１以上の格納領域の情報を取得する取得手段と、取得された前記１以上の格納領域の情報に基づいて、１以上の格納領域を表示する表示手段と、表示された前記１以上の格納領域のうち一の格納領域の選択を受け付ける受付手段と、受信した前記電子データを前記情報蓄積装置に送信して、前記情報蓄積装置の前記一の格納領域に格納するよう前記情報蓄積装置に送信するデータ送信手段と、を有することを特徴とする。
【手続補正６】
【補正対象書類名】明細書
【補正対象項目名】０００７
【補正方法】変更
【補正の内容】
【０００７】
本発明の一実施形態によれば、連携してサービスを提供することができる操作端末、方法及びプログラムを提供可能である。